(57)【要約】【課題】圧縮符号化前の音声データに適用可能な複数のフィルタ処理の効果を再生音声の聴感によって容易に比較評価できるようにする。【解決手段】無線通信装置１は、デジタルフィルタ部１１、圧縮符号化部１２、及び無線送信部１３を有する。デジタルフィルタ部１１は、１つの音声データ（ＶＤ１）に対して互いに異なる複数のフィルタ処理を行って複数の加工音声データ（例えばＦＤ１〜ＦＤ３）を生成する。圧縮符号化部１２は、複数の加工音声データに対する圧縮符号化を行って複数の符号化データ（例えばＥＤ１〜ＥＤ３）を生成する。さらに、無線送信部１３は、複数の符号化データを復号して得られる複数のアナログ復号音声の各々が受信装置において連続的に再生されるように、複数の符号化データを無線送信する。【選択図】図１
2012129715.tif 000002
【特許請求の範囲】
【請求項１】
１つの音声データに対して互いに異なる複数のフィルタ処理を行って複数の加工音声データを生成するデジタルフィルタ部と、
前記複数の加工音声データに対する圧縮符号化を行って複数の符号化データを生成する圧縮符号化部と、
前記複数の符号化データを復号して得られる複数のアナログ復号音声の各々が受信装置において連続的に再生されるように、前記複数の符号化データを無線送信する無線送信部と、
を備える無線通信装置。
【請求項２】
前記音声データは、前記複数のフィルタ処理の効果を再生音声の聴感によって比較評価するために送信される再生品質評価用の音声データである請求項１に記載の無線通信装置。
【請求項３】
前記無線送信部は、再生品質評価用の音声の送信開始を指示する前記無線通信装置に対するユーザの操作を契機として、前記複数の符号化データの送信を行う請求項１又は２に記載の無線通信装置。
【請求項４】
前記無線通信装置は、
前記音声データに対して前記複数のフィルタ処理を行い、前記複数の符号化データを無線送信する再生品質評価用の第１の動作モードと、
前記音声データに対して前記複数のフィルタ処理のうちのいずれか１つのフィルタ処理を行い、符号化データを無線送信する通常通話用の第２の動作モードと、
を切り替え可能に構成されている、請求項１〜３のいずれか１項に記載の無線通信装置。
【請求項５】
前記無線送信部は、前記複数の符号化データに含まれる各符号化データに対する変調処理を順次行って順番に無線送信する、請求項１〜４のいずれか１項に記載の無線通信装置。
【請求項６】
前記複数の符号化データを同時に保持しておくことが可能な第１のメモリをさらに備え、
前記無線送信部は、前記第１のメモリから各符号化データを読み出して前記変調処理を順次行う、
請求項５に記載の無線通信装置。
【請求項７】
マイクと、
前記マイクによって得られるアナログ音声信号をサンプリングして前記音声データを生成するＡ／Ｄ変換部と、
前記Ａ／Ｄ変換部により生成される前記音声データを保持可能な第２のメモリと、
をさらに備え、
前記デジタルフィルタ部は、フィルタ係数設定を切り替えることによって、前記第２のメモリから読み出した前記音声データに対して前記複数のフィルタ処理に含まれる各フィルタ処理を順次実行するデジタル信号処理プロセッサを備える、
請求項１〜６のいずれか１項に記載の無線通信装置。
【請求項８】
前記無線送信部から送信される無線信号は、各々が前記複数の符号化データのいずれかによって変調された複数の第１の信号区間と、ギャップデータによって変調され、隣接する２つの前記第１の信号区間の間に挿入された第２の信号区間とを含む請求項１〜７のいずれか１項に記載の無線通信装置。
【請求項９】
前記第１のメモリから前記複数の符号化データを読み出して伸張復号処理およびデジタル−アナログ変換処理を行い、得られた複数のアナログ復号音声の各々を連続的にスピーカに出力する再生処理部をさらに備える請求項６、又は請求項６を引用する請求項７〜８のいずれか１項に記載の無線通信装置。
【請求項１０】
前記第１のメモリに保持された複数の符号化データのうち前記無線通信装置に対するユーザ操作によって指定された任意の１つを読み出して伸張復号処理およびデジタル−アナログ変換処理を行い、得られたアナログ復号音声をスピーカに出力する再生処理部をさらに備える請求項６、又は請求項６を引用する請求項７〜８のいずれか１項に記載の無線通信装置。
【請求項１１】
音声データにフィルタ処理を行って加工音声データを生成するデジタルフィルタ部と、
前記加工音声データに対する圧縮符号化を行って符号化データを生成する圧縮符号化部と、
前記符号化データを無線送信する無線送信部と、
前記デジタルフィルタ部が前記音声データに対して互いに異なる複数のフィルタ処理を行って複数の加工音声データを生成するとともに、前記圧縮符号化部が前記複数の加工音声データの各々に対する圧縮符号化を行うことにより生成された複数の符号化データを保持可能なメモリと、
前記メモリから前記複数の符号化データを読み出して伸張復号処理およびデジタル−アナログ変換処理を行い、得られた複数のアナログ復号音声の各々を連続的にスピーカに出力する再生処理部と、
を備える無線通信装置。
【請求項１２】
前記再生処理部は、再生品質評価用の音声の再生開始を指示する前記無線通信装置に対するユーザの操作を契機として、前記複数のアナログ復号音声の連続的な再生を行う請求項１１に記載の無線通信装置。
【請求項１３】
１つの音声データに対して互いに異なる複数のフィルタ処理を行って複数の加工音声データを生成するステップと、
前記複数の加工音声データに対する圧縮符号化を行って複数の符号化データを生成するステップと、
前記複数の符号化データを復号して得られる複数のアナログ復号音声の各々が通信相手装置において連続的に再生されるように、前記複数の符号化データを無線送信するステップと、
を含む無線通信装置による無線送信方法。
【請求項１４】
前記音声データは、前記複数のフィルタ処理の効果を再生音声の聴感によって比較評価するために送信される再生品質評価用の音声データである請求項１３に記載の無線送信方法。
【請求項１５】
再生品質評価用の音声の送信開始を指示する前記無線通信装置に対するユーザ操作を受け付けたことを契機として、前記複数の加工音声データを生成し、前記複数の符号化データを生成し、前記複数の符号化データの無線送信を含む再生品質評価用の動作モードを開始すること、
を含む請求項１３又は１４に記載の無線送信方法。
【請求項１６】
送信装置において、１つの音声データに対して互いに異なる複数のフィルタ処理を行って複数の加工音声データを生成し、
前記送信装置において、前記複数の加工音声データに対する圧縮符号化を行って複数の符号化データを生成し、
前記送信装置において、前記複数の符号化データを無線送信し、
受信装置において、前記複数の符号化音声データを搬送する無線信号を受信し、
前記受信装置において、前記無線信号から復調された前記複数の符号化データを復号して得られる複数のアナログ復号音声の各々を連続的にスピーカに出力する、
再生品質評価方法。
【発明の詳細な説明】
【技術分野】
【０００１】
本発明は、音声データを圧縮符号化して送信する無線通信に関し、特に音声データに施すフィルタ処理の違いによる聴感上の再生品質の相違を評価する方法に関する。
【背景技術】
【０００２】
音声通話が可能なデジタル無線通信装置（例えば携帯電話端末、ＰＴＴ（Push To Talk）方式のトランシーバ）は、音声コーデックを用いてアナログ音声信号を圧縮符号化する。音声コーデックは、一般的に、波形符号化方式、ボコーダ方式、及び波形符号化方式とボコーダ方式を組み合わせたハイブリッド方式の３種類に大きく分類することができる。
【０００３】
高圧縮率を特徴とするボコーダ方式及びハイブリッド方式は、音源である声帯と、咽喉、口腔、鼻腔、舌及び唇などの声道を構成する要素を含む人間の発生構造とをモデル化した方式である。ボコーダ方式及びハイブリッド方式は、会話音声（人間の声）に特化した方式であるため、人間の声以外の音響成分が重畳された信号を圧縮符号化した場合に、復号音声の再生品質の低下が著しいという欠点がある。それゆえ、アナログ音声信号をサンプリングして得られる圧縮符号化前の音声データは、ノイズの重畳やマイクロホン等の受話変換系の周波数特性の影響を受けていないものが望まれる。従って、圧縮符号化器の前にノイズカットフィルタ、周波数イコライザ等のデジタルフィルタを配置し、音声データに対してフィルタ処理を施した後に圧縮符号化を行う構成が一般的に採用されている。このデジタルフィルタの特性と音声データに重畳される雑音の質及び入力系の周波数特性との組み合わせ相性が復号音声の再生品質を左右する。
【０００４】
ところで、特許文献１は、１つのデータを複数のデジタルフィルタで並列処理し、これらのうち１つのフィルタ出力を圧縮符号化して出力する圧縮符号化装置を開示している。
【０００５】
また、特許文献２は、通信相手装置に向けて無線送信される圧縮符号化後の音声データをメモリに保存し、通信相手装置からの受信信号から復調された圧縮符号化された音声データをメモリに保存し、ユーザの端末操作に応じてメモリに保存された圧縮符号化データを復号し再生するよう構成された無線通信装置を開示している。
【先行技術文献】
【特許文献】
【０００６】
【特許文献１】特開平３−２７０４１５号公報
【特許文献２】特開平９−１３５３１３号公報
【発明の概要】
【発明が解決しようとする課題】
【０００７】
圧縮符号化前のデジタル音声データに対して実行するフィルタ処理の内容をユーザが設定できるように無線通信装置を構成する場合、具体的に適用するフィルタ処理を決定するためにはどのフィルタ処理が適切であるかの評価を行う必要がある。フィルタの評価は、一般的に、復号音声の再生品質を人間の聴感によって判定することにより行われる。しかしながら、複数のフィルタ処理の各々の効果を比較したい場合、ユーザは端末（無線通信装置）を操作してフィルタ処理を設定し、音声データを入力して圧縮符号化および伸張復号処理を行い、スピーカから出力される復号音声を聞いて品質を評価するという一連の動作を各フィルタ処理について繰り返し行う必要がある。したがって、異なるフィルタ処理に基づく再生音声を聞き比べる際には、フィルタ処理を切り替えるための端末操作時間を必要とするために前に聞いた音声の印象が薄れてしまい、正確な比較評価を行い難いという問題がある。また、マイクロホンに入力される再生品質評価用の音声は、ユーザが同じ内容の音声を発しているつもりであっても、厳密には同一の音声データでは無くフィルタ処理毎に異なった音声データとなる。つまり、評価の基礎となる音声データがフィルタ処理毎に異なるために、評価の厳密性を確保し難いという問題もある。
【０００８】
これらの問題のために、圧縮符号化前の音声データに適用可能な複数のフィルタ処理の効果をユーザが再生音声の聴感によって比較評価することが難しいという課題がある。なお、上述した特許文献１及び２は、当該課題を解決するための手段について何ら開示していない。
【０００９】
本発明は、発明者による上述の知見に基づいてなされたものであり、圧縮符号化前の音声データに適用可能な複数のフィルタ処理の効果を再生音声の聴感によって容易に比較評価できるようにすることを目的とする。
【課題を解決するための手段】
【００１０】
本発明の第１の態様は、無線通信装置を含む。当該無線通信装置は、デジタルフィルタ部、圧縮符号化部、及び無線送信部を有する。前記デジタルフィルタ部は、１つの音声データに対して互いに異なる複数のフィルタ処理を行って複数の加工音声データを生成する。前記圧縮符号化部は、前記複数の加工音声データに対する圧縮符号化を行って複数の符号化データを生成する。さらに、前記無線送信部は、前記複数の符号化データを復号して得られる複数のアナログ復号音声の各々が受信装置において連続的に再生されるように、前記複数の符号化データを無線送信する。
【００１１】
上述の本発明の第１の態様において、前記音声データは、前記複数のフィルタ処理の効果を再生音声の聴感によって比較評価するために送信される再生品質評価用の音声データとするとよい。
【００１２】
上述の本発明の第１の態様において、前記無線送信部は、再生品質評価用の音声の送信開始を指示する前記無線通信装置に対するユーザの操作を契機として、前記複数の符号化データの送信を行うよう構成されてもよい。
【００１３】
上述の本発明の第１の態様において、前記無線通信装置は、第１の動作モードと第２の動作モードを切り替え可能に構成されてもよい。第１の動作モードは、前記音声データに対して前記複数のフィルタ処理を行い、前記複数の符号化データを無線送信する再生品質評価用の動作モードである。第２の動作モードは、前記音声データに対して前記複数のフィルタ処理のうちのいずれか１つフィルタ処理を行い、符号化データを無線送信する通常通話用の動作モードである。
【００１４】
上述の本発明の第１の態様において、前記無線送信部は、前記複数の符号化データに含まれる各符号化データに対する変調処理を順次行って順番に無線送信してもよい。
【００１５】
また、上述の本発明の第１の態様に係る無線通信装置は、前記複数の符号化データを同時に保持しておくことが可能な第１のメモリをさらに有してもよく、前記無線送信部は、前記第１のメモリから各符号化データを読み出して前記変調処理を順次行ってもよい。
【００１６】
上述の本発明の第１の態様に係る無線通信装置は、マイク、Ａ／Ｄ変換部、第２のメモリをさらに有してもよい。前記Ａ／Ｄ変換部は、前記マイクによって得られるアナログ音声信号をサンプリングして前記音声データを生成する。前記第２のメモリは、前記Ａ／Ｄ変換部により生成される前記音声データを保持可能である。また、前記デジタルフィルタ部は、フィルタ係数設定を切り替えることによって、前記第２のメモリから読み出した前記音声データに対して前記複数のフィルタ処理に含まれる各フィルタ処理を順次実行するデジタル信号処理プロセッサを有してもよい。
【００１７】
上述の本発明の第１の態様において、前記無線送信部から送信される無線信号は、各々が前記複数の符号化データのいずれかによって変調された複数の第１の信号区間と、ギャップデータによって変調され、隣接する２つの前記第１の信号区間の間に挿入された第２の信号区間とを含んでもよい。
【００１８】
上述の本発明の第１の態様に係る無線通信装置は、前記複数の符号化データを同時に保持しておくことが可能な第１のメモリから前記複数の符号化データを読み出して伸張復号処理およびデジタル−アナログ変換処理を行い、得られた複数のアナログ復号音声の各々を連続的にスピーカに出力する再生処理部をさらに備えてもよい。
【００１９】
上述の本発明の第１の態様に係る無線通信装置は、前記複数の符号化データを同時に保持しておくことが可能な第１のメモリに保持された複数の符号化データのうち前記無線通信装置に対するユーザ操作によって指定された任意の１つを読み出して伸張復号処理およびデジタル−アナログ変換処理を行い、得られたアナログ復号音声をスピーカに出力する再生処理部をさらに備えてもよい。
【００２０】
本発明の第２の態様は、無線通信装置を含む。当該無線通信装置は、デジタルフィルタ部、圧縮符号化部、無線送信部、メモリ、及び再生処理部を有する。前記デジタルフィルタ部は、音声データにフィルタ処理を行って加工音声データを生成する。前記圧縮符号化部は、前記加工音声データに対する圧縮符号化を行って符号化データを生成する。前記無線送信部は、前記符号化データを無線送信する。前記メモリは、前記デジタルフィルタ部が前記音声データに対して互いに異なる複数のフィルタ処理を行って複数の加工音声データを生成するとともに、前記圧縮符号化部が前記複数の加工音声データの各々に対する圧縮符号化を行うことによって生成された複数の符号化データを保持可能である。前記再生処理部は、前記メモリから前記複数の符号化データを読み出して伸張復号処理およびデジタル−アナログ変換処理を行い、得られた複数のアナログ復号音声の各々を連続的にスピーカに出力する。
【００２１】
上述の本発明の第２の態様において、前記再生処理部は、再生品質評価用の音声の再生開始を指示する前記無線通信装置に対するユーザの操作を契機として、前記複数のアナログ復号音声の連続的な再生を行ってもよい。
【００２２】
本発明の第３の態様は、無線送信方法を含む。当該方法は、以下のステップ（ａ）〜（ｃ）を含む。
（ａ）１つの音声データに対して互いに異なる複数のフィルタ処理を行って複数の加工音声データを生成するステップ、
（ｂ）前記複数の加工音声データに対する圧縮符号化を行って複数の符号化データを生成するステップ、及び
（ｃ）前記複数の符号化データを復号して得られる複数のアナログ復号音声の各々が通信相手装置において連続的に再生されるように、前記複数の符号化データを無線送信するステップ。
【００２３】
上述の本発明の第３の態様において、前記方法は、再生品質評価用の音声の送信開始を指示する前記無線通信装置に対するユーザ操作を受け付けたことを契機として、前記複数の加工音声データを生成し、前記複数の符号化データを生成し、及び前記複数の符号化データの無線送信を含む再生品質評価用の動作モードを開始することをさらに含んでもよい。
【００２４】
本発明の第４の態様は、再生品質評価方法を含む。当該方法は、以下のステップ（ａ）〜（ｅ）を含む。
（ａ）送信装置において、１つの音声データに対して互いに異なる複数のフィルタ処理を行って複数の加工音声データを生成するステップ、
（ｂ）前記送信装置において、前記複数の加工音声データに対する圧縮符号化を行って複数の符号化データを生成するステップ、
（ｃ）前記送信装置において、前記複数の符号化データを無線送信するステップ、
（ｄ）受信装置において、前記複数の符号化音声データを搬送する無線信号を受信するステップ、及び
（ｅ）前記受信装置において、前記無線信号から復調された前記複数の符号化データを復号して得られる複数のアナログ復号音声の各々を連続的にスピーカに出力するステップ。
【発明の効果】
【００２５】
上述した本発明の各態様によれば、１つの音声データに対して互いに異なるフィルタ処理を行って得られる複数の加工音声データを圧縮符号し、さらにこれを伸張復号して得られる複数のアナログ復号音声を連続的に再生することができる。このため、ユーザは、圧縮符号化前に適用されたフィルタ処理が異なる複数のアナログ復号音声を続けて聞くことができる。また、同一の入力音声（１つの音声データ）を用いて複数のフィルタ処理を行うため、入力音声の違いによる評価のぶれを抑制できる。したがって、本発明の各態様によれば、圧縮符号化前の音声データに適用可能な複数のフィルタ処理の効果を再生音声の聴感によって容易に比較評価できる。
【図面の簡単な説明】
【００２６】
【図１】本発明の実施の形態１に係る無線通信装置の構成例を示すブロック図である。
【図２】図１に示した無線通信装置による再生品質評価用の音声の送信手順を示すフローチャートである。
【図３】図１に示した無線通信装置から送信される再生品質評価用の音声データを搬送する無線信号の構成を示す概念図である。
【図４】本発明の実施の形態１に係る無線通信装置の具体的な構成例を示すブロック図である。
【図５】図４に示した無線通信装置による複数の符号化データの生成手順を示すフローチャートである。
【図６】図４に示した無線通信装置による複数の符号化データの一連送信手順を示すフローチャートである。
【図７】本発明の実施の形態２に係る無線通信装置の具体的な構成例を示すブロック図である。
【図８】図７に示した無線通信装置による複数の符号化データの一連再生手順を示すブロック図である。
【発明を実施するための形態】
【００２７】
以下では、本発明を適用した具体的な実施の形態について、図面を参照しながら詳細に説明する。各図面において、同一又は対応する要素には同一の符号が付されており、説明の明確化のため、必要に応じて重複説明は省略される。
【００２８】
＜発明の実施の形態１＞
本実施の形態に係る無線通信装置１は、無線通信装置１の使用者の声を、使用している環境条件により生じている背景雑音と共に録音しデータ化した音声データに施すフィルタ処理の違いによる聴感上の再生品質の相違を評価するために、１つの音声データに対して互いに異なる複数のフィルタ処理を行って複数の加工音声データを生成する。そして、無線通信装置１は、これら複数の加工音声データの圧縮符号化を行って複数の符号化データを生成する。さらに、無線通信装置１は、複数の符号化データを復号して得られる複数のアナログ復号音声の各々が受信側（通信相手）の無線通信装置において連続的に再生されるように、複数の符号化データを無線送信する。
【００２９】
無線通信装置１が上述した送信動作を行うことによって、複数の符号化データを搬送する無線信号を受信した受信側の無線通信装置は、複数の符号化データを伸張復号して得られる複数のアナログ復号音声を連続的に再生することができる。このため、受信側の無線通信装置のユーザは、圧縮符号化前に適用されたフィルタ処理が互いに異なる複数のアナログ復号音声を続けて聞くことができる。また、無線通信装置１は、同一の入力音声（１つの音声データ）を用いて複数のフィルタ処理を行うため、入力音声の違いによる評価のぶれを抑制できる。したがって、無線通信装置１によれば、圧縮符号化前の音声データに適用可能な複数のフィルタ処理の効果を再生音声の聴感によって容易に比較評価できる。
【００３０】
ここで、受信側（通信相手）の無線通信装置による複数のアナログ復号音声の"連続的な再生"は、複数のアナログ復号音声が厳密に連続して再生されることのみを意味するものではない。例えは、１つのアナログ復号音声の再生とこれに続くアナログ復号音声の再生との間に、無音区間が設けられてもよい。また、例えば、１つのアナログ復号音声の再生とこれに続くアナログ復号音声の再生との間に別の音声（例えばフィルタ種類を示す案内音声）が再生されてもよい。無音区間を設けたり、他の音声を再生したりすることで、アナログ復号音声の境界が明確になるため、ユーザの評価が容易になる。また、フィルタ種類を示す案内音声を再生することで、ユーザはフィルタ種類の認識が容易になる。
【００３１】
無線通信装置１は、通常の音声通話を行う動作モード（通常モード）と、再生品質評価用の音声送信を行う動作モード（評価モード）との切り替えを行えるように構成されてもよい。評価モードの場合、無線通信装置１は、再生品質評価用のアナログ音声信号をサンプリングして音声データを生成し、この評価用の音声データに対して複数のフィルタ処理を行い、複数の符号化データを生成して無線送信する。一方、通常モードの場合、無線通信装置１は、アナログ音声信号をサンプリングして音声データを生成し、１つのフィルタ処理（例えば評価モードで最も再生品質が良いと判定されたフィルタ処理）を行い、１つの符号化データを生成し、この符号化データを無線送信する。
【００３２】
通常モードと評価モードの切り替えは、無線通信装置１に対するユーザの操作によって行うとよい。例えば、無線通信装置１は、無線通信装置１に対するユーザの操作によって再生品質評価用の音声の送信指示を受け付けたことを契機として、上述した再生品質評価用の複数の符号化データの送信動作を行えばよい。ユーザの操作は、例えば操作ボタン（不図示）による入力、マイク（不図示）を用いた音声操作等である。無線通信装置１は、複数の符号化データの生成までを指示する第１のユーザ操作、及び複数の符号化データの送信を指示する第２のユーザ操作の２段階のユーザ操作に基づいて、複数の符号化データの送信動作を行ってもよい。また、無線通信装置１は、無線通信装置１の電源オン時の起動処理の中で評価モードを実行してもよい。
【００３３】
無線通信装置１に適用される無線通信方式、及び無線通信装置１の端末種別は、特に制限されない。すなわち、無線通信装置１に適用される無線通信方式は、複信（全二重）式、半複信式、単信式のいずれもでもよい。また、無線通信装置１は、例えば、携帯電話端末又はトランシーバであってもよいし、受信機能を持たない送信専用端末であってもよい。
【００３４】
以下では、図面を用いて無線通信装置１の構成及び動作の具体例について詳細に説明する。図１は、無線通信装置１の構成例を示すブロック図である。デジタルフィルタ部１１は、音声データＶＤ１を受信し、音声データＶＤ１に対して互いに異なる複数のフィルタ処理を行って複数の加工音声データを生成する。図１の例では、デジタルフィルタ部１１は、３通りのフィルタ処理を行って３つの加工音声データＦＤ１〜ＦＤ３を生成する。なお、１つの再生品質評価用の音声データＶＤ１に対して適用される複数のフィルタ処理の数は２種類以上であればよく、３種類であることは一例に過ぎない。
【００３５】
デジタルフィルタ部１１は、汎用のＤＳＰ（Digital Signal Processor）を用いて構成されてもよいし、専用のハードウェア（遅延素子及び積和演算器など）によって構成されてもよい。また、デジタルフィルタ部１１は、１つのデジタルフィルタの係数設定を順次変更することで、加工音声データＦＤ１〜ＦＤ３を順次生成してもよい。このような構成とすることで、通常の音声送信を行うためのデジタルフィルタを利用して複数の加工音声データを生成できるため、再生品質評価のために冗長な構成を採用する必要がない利点がある。しかしながら、デジタルフィルタ部１１は、複数のデジタルフィルタを並列配置した構成を有し、加工音声データＦＤ１〜ＦＤ３を並行して生成してもよい。
【００３６】
圧縮符号化部１２は、複数の加工音声データの圧縮符号化を行って複数の符号化データを生成する。図１の例では、圧縮符号化部１２は、３つの加工音声データＦＤ１〜ＦＤ３の圧縮符号化を行って符号化データＥＤ１〜ＥＤ３を生成する。圧縮符号化部１２は、デジタルフィルタ部１１によって生成される加工音声データＦＤ１〜ＦＤ３を順次入力し、符号化データＥＤ１〜ＥＤ３を順次生成してもよい。このような構成とすることで、通常の音声送信を行うための圧縮符号化回路を利用して複数の加工音声データを生成できるため、再生品質評価のために冗長な構成を採用する必要がない利点がある。しかしながら、圧縮符号化部１２は、複数の符号化器を並列配置した構成を有し、並列入力される加工音声データＦＤ１〜ＦＤ３の圧縮符号化を並行して行ってもよい。
【００３７】
無線送信部１３は、複数の符号化データ（図１の例では３つの符号化データＥＤ１〜ＥＤ３）を入力し、変調、ＲＦ（Radio Frequency）帯域へのアップコンバージョン、及びパワー増幅等を行って、複数の符号化データを搬送する無線信号ＲＳをアンテナ１４から送信する。上述したように、無線送信部１３は、複数の符号化データを復号して得られる複数のアナログ復号音声が無線信号ＲＳを受信する装置において連続的に再生されるように、無線信号を生成する。
【００３８】
例えば、携帯電話端末、ＰＴＴ方式のトランシーバ等による通常の音声通話のように、音声チャネルで受信される順序で符号化データの再生処理が行われる場合、無線送信部１３は、複数の符号化データＥＤ１〜ＥＤ３に対する変調処理を順次行って順番に無線送信すればよい。また別の例として、ＭＰＥＧ−２音声エレメンタリストリームのように、受信側の装置でいったんデータ蓄積が行われ、音声パケットに付与された再生時刻情報に基づいて再生順序が決定される場合がある。この場合、圧縮符号化部１２による圧縮符号化処理において、複数の符号化データＥＤ１〜ＥＤ３から復号される複数のアナログ復号音声が続けて再生されるように、符号化データＥＤ１〜ＥＤ３に対して再生時刻情報を付与しておけばよい。そして、無線送信部１３は、連続的に再生されるように再生時刻情報が付与された符号化データＥＤ１〜ＥＤ３を無線送信すればよい。
【００３９】
続いて、図１に示した無線通信装置１による再生品質評価用の音声データの送信手順の一例を図２のフローチャートを用いて説明する。ステップＳ１０１では、デジタルフィルタ部１１は、３種類のフィルタ係数群＃１〜＃３を用いたフィルタ処理を音声データＶＤ１に対して行い、３種類の加工音声データＦＤ１〜ＦＤ３を生成する。ステップＳ１０２では、圧縮符号化部１２は、フィルタ処理後の加工音声データＦＤ１〜ＦＤ３を圧縮符号化し、符号化データＥＤ１〜ＥＤ３を生成する。ステップＳ１０３では、無線送信部１３は、符号化データＥＤ１〜ＥＤ３を用いて変調、ＲＦ帯域へのアップコンバージョン、信号増幅を行って、符号化データＥＤ１〜ＥＤ３を搬送する無線信号ＲＳを送信する。
【００４０】
図３（ａ）及び（ｂ）は、再生品質評価用の音声データを搬送する無線信号ＲＳの構成例を示す概念図である。図３（ａ）の例は、符号化データＥＤ１によって変調されたシンボル区間Ｓ１、符号化データＥＤ２によって変調されたシンボル区間Ｓ２、及び符号化データＥＤ３によって変調されたシンボル区間Ｓ３が厳密に連続している。図３（ａ）に示す無線信号を受信した受信側の装置は、３通りのアナログ復号音声を厳密に続けて再生する。一方、図３（ｂ）の例では、符号化データによって変調されたシンボル区間Ｓ１、Ｓ２、及びＳ３の間にギャップ区間Ｇ１及びＧ２が配置されている。ギャップ区間は無音区間でもよいし、フィルタ番号を示す案内音声等が符号化された区間でもよい。図３（ｂ）に示す無線信号を受信した受信側の装置は、１つのアナログ復号音声の再生と次のアナログ復号音声の再生の間にギャップ区間に基づく音声を再生する。
【００４１】
続いて以下では、本実施の形態に係る無線通信装置１の構成及び動作のより具体的な例を説明する。図４は、無線通信装置１を単信方式（ＰＴＴ方式）のトランシーバとした場合の構成例を示すブロック図である。図４の構成例では、Ａ／Ｄ変換器１０２は、マイク１００及びマイクアンプ１０１によって収音されたアナログ音声信号をサンプリングすることによって音声データＶＤ１を生成する。音声データＶＤ１は、音声データメモリ１０３に保存される。
【００４２】
図４の構成例では、デジタルフィルタ部１１はＤＳＰを用いて構成されている。加工音声データＦＤ１〜ＦＤ３を生成するためのフィルタ係数設定（フィルタ係数群＃１〜＃３）はフィルタ係数メモリ１０４に保存されている。デジタルフィルタ部１１は、音声データメモリ１０３から音声データＶＤ１を繰り返し読み出し、フィルタ係数メモリ１０４に保持されたフィルタ係数群＃１〜＃３を順次使用して、加工音声データＦＤ１〜ＦＤ３を生成する。
【００４３】
圧縮符号化部１２は、加工音声データＦＤ１〜ＦＤ３を順次取得し、圧縮符号化を行って符号化データＥＤ１〜ＥＤ３を生成する。符号化データＥＤ１〜ＥＤ３は、符号化データメモリ１０５に保存される。
【００４４】
図４の構成例では、無線送信部１３は、変調部１３１及び送信ＲＦ部１３２を含む。変調部１３１は、符号化データメモリ１０５から符号化データＥＤ１〜ＥＤ３を順次読み出し、中間周波数帯域での変調処理を行って変調信号を生成する。送信ＲＦ部１３２は、変調信号をＲＦ帯域にアップコンバートして無線信号ＲＳを生成し、信号増幅を行ってアンテナ１４に供給する。なお、無線送信部１３は、符号化データで直接ＲＦ信号を変調するダイレクトコンバージョン方式であってもよい。
【００４５】
スイッチ１０６は、単信式トランシーバの送受切り替えのために配置されており、図示しないＰＴＴボタンに連動して動作する。つまり、スイッチ１０６は、送信のためにユーザによってＰＴＴボタンが押された場合に無線送信部１３をアンテナ１４に接続し、ＰＴＴボタンが押されていない場合に無線受信部１０７をアンテナ１４に接続する。
【００４６】
無線受信部１０７からスピーカ１１３までの受信信号処理系は、通信相手装置から受信した音声の再生を行うために配置されている。無線受信部１０７は、受信ＲＦ部１０８及び復調部１０９を含む。受信ＲＦ部１０８は、受信信号を増幅し、ダウンコンバートし、デジタル信号に変換して復調部１０９に供給する。復調部１０９は、受信信号に対する復調処理を行う。
【００４７】
伸張復号化部１１０は、復調された符号化データから受信音声データを伸張復号する。受信音声データは、Ｄ／Ａ変換器１１１によってアナログ信号に戻される。アナログ受信信号はスピーカアンプ１１２によって増幅された後にスピーカ１１３から出力される。
【００４８】
コントローラ１１４は、通常の音声送信を行う動作モード（通常モード）と、再生品質評価用の音声送信を行う動作モード（評価モード）との切り替えを行い、動作モードに応じて、デジタルフィルタ部１１、圧縮符号化部１２、変調部１３１の動作を制御する。
【００４９】
続いて以下では、再生品質評価の開始から符号化データメモリ１０５に符号化データＥＤ１〜ＥＤ３が格納されるまでの図４に示した無線通信装置１の動作例を図５のフローチャートに従って説明する。
【００５０】
ステップＳ２０１では、無線通信装置１は、再生品質評価の開始を指示するユーザの操作を受け付ける。ユーザ操作の受け付けを契機として、ステップＳ２０２では、コントローラ１１４は、音声データメモリ１０３内のデータを消去する。このとき、コントローラ１１４は、デジタルフィルタ部１１にフィルタ係数群＃１を設定してもよい。ステップＳ２０３では、マイク１００及びマイクアンプ１０１による再生品質評価用のアナログ音声信号の取り込みが開始される。ステップＳ２０４では、Ａ／Ｄ変換器１０２は、再生品質評価用のアナログ音声信号をサンプリングして音声データＶＤ１を生成し、音声データＶＤ１を音声データメモリ１０３に保存する。ステップＳ２０３及びＳ２０４の音声データＶＤ１の生成処理は、ユーザの音声入力操作（例えばＰＴＴボタンＯＮ）に応じて行えばよい。
【００５１】
ステップＳ２０５〜Ｓ２１０では、デジタルフィルタ部１１に対するフィルタ係数設定をフィルタ係数群＃１、＃２、＃３に順次切り替え、加工音声データＦＤ１〜ＦＤ３の生成が順次行われるとともに、圧縮符号化部１２による符号化データＥＤ１〜ＥＤ３の生成が順次行われる。生成された符号化データＥＤ１〜ＥＤ３は、符号化データメモリ１０５に保存される。ステップＳ２０１〜Ｓ２１０の動作を行うことによって、複数のフィルタ処理による複数の符号化データを１回の再生品質評価用の音声信号の入力に基づいて生成することができる。
【００５２】
次に、図４に示した無線通信装置１による複数の符号化データの一連送信手順の具体例を図６のフローチャートに従って説明する。ステップＳ３０１では、無線通信装置１は、一連送信動作の開始を指示するユーザの操作を受け付ける。なお、ステップＳ３０１に示したユーザの明示的な指示を受け付けることなく、無線通信装置１は、図５に示したような符号化データＥＤ１〜ＥＤ３の生成処理に引き続いて一連送信動作を自動的に開始してもよい。
【００５３】
ステップＳ３０２では、変調部１３１は、符号化データＥＤ１〜ＥＤ３を符号化データメモリ１０５から順次読み出して変調信号を生成する。ステップＳ３０３では、送信ＲＦ部１３２は、変調信号のアップコンバージョン及び信号増幅を行い、無線信号ＲＳをアンテナ１４から送信する。
【００５４】
＜発明の実施の形態２＞
本実施の形態では、実施の形態１に係る無線通信装置１の変形について説明する。本実施の形態にかかる無線通信装置２は、上述した無線通信装置１と同様に、１つの音声データに対して互いに異なる複数のフィルタ処理を行って得られる複数の符号化データを、これら複数の符号化データを復号して得られる複数のアナログ復号音声の各々が受信側の装置において連続的に再生されるように無線送信する。さらに、無線通信装置２は、複数の符号化データを自装置内で伸張復号し、得られた複数のアナログ復号音声の各々を自装置で連続的に再生できるように構成されている。
【００５５】
図７は、図４に示した無線通信装置１と同様に、無線通信装置２を単信方式（ＰＴＴ方式）のトランシーバとした場合の構成例を示すブロック図である。図７の構成例では、無線送信部１３から送信するために符号化データメモリ１０５に保存された符号化データＥＤ１〜ＥＤ３を、再生処理系（すなわち伸張復号化部１１０及びＤ／Ａ変換器１１１）に供給できるようにするためにスイッチ２１５が設けられている。スイッチ２１５は、評価モードにおいて再生品質評価用の音声の自装置での再生動作が行われる場合に、伸張復号化部１１０を符号化データメモリ１０５に接続する。スイッチ２１５の動作は、無線通信装置２の動作モード切り替えを行うコントローラ２１４によって制御される。
【００５６】
コントローラ２１４は、上述したコントローラ１１４と同様に、通常モードと評価モードとの間で動作モードの切り替えを行い、動作モードに応じて、デジタルフィルタ部１１、圧縮符号化部１２、変調部１３１の動作を制御する。さらに、コントローラ２１４は、再生品質評価用の音声の自装置での再生が指示されたことに応じて、符号化データＥＤ１〜ＥＤ３の伸張復号化及び再生が開始されるように、スイッチ２１５及び伸張復号化部１１０の動作を制御する。
【００５７】
続いて以下では、図７に示した無線通信装置２による複数の符号化データの一連再生手順の具体例を図８のフローチャートに従って説明する。ステップＳ４０１では、無線通信装置２は、一連再生動作の開始を指示するユーザの操作を受け付ける。ステップＳ４０２では、コントローラ２１４は、ユーザ操作の受け付けに応じてスイッチ２１５を切り替え、伸張復号化部１１０を符号化データメモリ１０５に接続する。ステップＳ４０３では、再生処理系（すなわち伸張復号化部１１０及びＤ／Ａ変換器１１１）が符号化データＥＤ１〜ＥＤ３を順次読み出して伸張復号化およびＤ／Ａ変換を行う。これにより、３通りのアナログ復号音声信号が順次生成される。ステップＳ４０４では、Ｄ／Ａ変換器１１１によって順次生成された３通りのアナログ復号音声信号がスピーカアンプ１１２に供給され、３通りのアナログ復号音声信号が連続的にスピーカ１１３から出力される。
【００５８】
なお、無線通信装置２による複数のアナログ復号音声の"連続的な再生"は、複数のアナログ復号音声が厳密に連続して再生されることのみを意味するものではない。例えは、１つのアナログ復号音声の再生とこれに続くアナログ復号音声の再生との間に、無音区間が設けられてもよい。また、例えば、１つのアナログ復号音声の再生とこれに続くアナログ復号音声の再生との間に別の音声（例えばフィルタ種類を示す案内音声）が再生されてもよい。無音区間を設けたり、他の音声を再生したりすることで、アナログ復号音声の境界が明確になるため、ユーザの評価が容易になる。また、フィルタ種類を示す案内音声を再生することで、ユーザはフィルタ種類の認識が容易になる。
【００５９】
上述したように、本実施の形態では、複数のアナログ復号音声の連続的な再生を送信側の無線通信装置２でも行えるようにした。これにより、フィルタ処理の違いによる聴感上の再生品質の相違を送信側でも容易に評価することができる。例えば、受信側の無線装置が存在しない場合であっても、送信側の無線通信装置２を用いて送信側のユーザ単独で再生品質の評価を行うことができる。特に、デジタル無線通信の場合、アナログ無線通信に比べて無線伝送路での通信劣化が理論的に小さいため、送信側の無線通信装置２での評価結果は、受信側の装置での評価結果と相違しないことが期待できる。
【００６０】
＜その他の実施の形態＞
上述した発明の実施の形態２では、１つの再生品質評価用の音声データ（ＶＤ１）に対して互いに異なる複数のフィルタ処理を行って得られる複数の符号化データ（ＥＤ１〜ＥＤ３）を無線送信する動作と、複数の符号化データ（ＥＤ１〜ＥＤ３）を自装置で連続的に再生する動作とを、無線通信装置２が共に行う構成について説明した。しかしながら、無線通信装置２は、複数の符号化データ（ＥＤ１〜ＥＤ３）を無線送信する動作を行うことなく、自装置で再生する動作のみを行うよう変形されてもよい。上述したように、デジタル無線通信の場合、送信側での評価結果は受信側の装置での評価結果と相違しないことが期待できる。
【００６１】
また、上述した発明の実施の形態２では、複数の符号化データ（ＥＤ１〜ＥＤ３）を順次伸張復号し、複数のアナログ復号音声信号を連続的に再生する動作について説明した。しかしながら、無線通信装置２は、符号化データメモリ１０５に保持された複数の符号化データのうち無線通信装置２に対するユーザ操作によって指定された任意の１つを読み出して伸張復号処理およびＤ／Ａ変換処理を行い、得られた１つのアナログ復号音声信号をスピーカ１１３に出力するよう変形されてもよい。
【００６２】
さらに、本発明は上述した実施の形態のみに限定されるものではなく、既に述べた本発明の要旨を逸脱しない範囲において種々の変更が可能であることは勿論である。
【符号の説明】
【００６３】
１、２  無線通信装置
１１  デジタルフィルタ部
１２  圧縮符号化部
１３  無線送信部
１４  アンテナ
１００  マイク
１０１  マイクアンプ
１０２  Ａ／Ｄ変換器
１０３  音声データメモリ
１０４  フィルタ係数メモリ
１０５  符号化データメモリ
１０６  スイッチ
１０７  無線受信部
１０８  受信ＲＦ部
１０９  復調部
１１０  伸張復号化部
１１１  Ｄ／Ａ変換器
１１２  スピーカアンプ
１１３  スピーカ
１１４  コントローラ
１３１  変調部
１３２  送信ＲＦ部
２１４  コントローラ
２１５  スイッチ
【図１】
2012129715.tif 000003
【図２】
2012129715.tif 000004
【図３】
2012129715.tif 000005
【図４】
2012129715.tif 000006
【図５】
2012129715.tif 000007
【図６】
2012129715.tif 000008
【図７】
2012129715.tif 000009
【図８】
2012129715.tif 000010